(57)【要約】      （修正有）【課題】意匠上の美観を損なうことなく安全かつ容易に操作することができるエレベータ乗りかご用の移動式操作盤を提供する。【解決手段】エレベータ乗りかご１の内側壁３に設けられた開口３ａ内の上下に一対のローラを配置する。この一対のローラに無端状を成すキャタピラ状搬送具６を掛け渡し、その長さ方向に沿って回転移動可能とする。このキャタピラ状搬送具６の長さ方向中間部に盤体を取り付け、各種操作器具を取り付けた表面がエレベータ乗りかごの内側壁に沿って上下動可能な構成とした。【選択図】図１
2008214077.tif 000002
【特許請求の範囲】
【請求項１】
エレベータ乗りかごの内側壁に設けられた開口内の上下に配置された一対のローラと、
無端状を成しこの一対のローラに掛け渡され、その長さ方向に沿って回転移動可能なキャタピラ状搬送具と、
前記キャタピラ状搬送具の長さ方向中間部に取り付けられ、各種操作器具を取り付けた表面がエレベータ乗りかごの内側壁に沿って移動可能な盤体と、
を備えたことを特徴とするエレベータ乗りかご用の移動式操作盤。
【請求項２】
キャタピラ状搬送具の、盤体の取り付け部と反対側の位置に設けられ、キャタピラ状搬送具を介して盤体と釣り合う釣り合い重りを有することを特徴とする請求項１に記載のエレベータ乗りかご用の移動式操作盤。
【発明の詳細な説明】
【技術分野】
【０００１】
本発明は、エレベータ乗りかご内に乗った乗員により操作されるエレベータ乗りかご用の移動式操作盤に関する。
【背景技術】
【０００２】
一般に、エレベータでは、乗りかご内に乗った乗員が行き先階を指定するなどして、乗りかごを目的階に移動させるようにしている。このため、乗りかご内には、行き先階ボタンや、扉の開／閉ボタン等を表面に配置した操作盤が設けられている。この操作盤は、乗りかご内の、開閉扉脇のいわゆる袖壁部分に取り付けられており、その取り付け高さは、標準的な身長の大人が容易に操作できる高さに固定設定されている。
【０００３】
しかし、子供など、身長の低い人には操作盤の上部に配置されたボタンを操作し難い、或いは操作できないという問題が生じる。また、最近は袖壁に取り付けられた操作盤のほかに、車椅子利用者のために、乗りかご内の内側面の低い位置に副操作盤を設けたものもある。しかし、この副操作盤も固定取り付けであるため、車椅子の高さなどによっては操作し難い場合も生じる。
【０００４】
このような問題に対し、操作盤（副操作盤を含む）を上下動可能に構成して操作性の向上を図った発明が提案されている（例えば、特許文献１参照）。この発明では、操作盤をワイヤーで上下動可能に吊ったり、モータにより回転駆動されるねじ棒により操作盤を上下動可能に支持したりしている。
【特許文献１】特開平７−２８５７４７号公報
【発明の開示】
【発明が解決しようとする課題】
【０００５】
しかし、上記発明によれば、上下動のワイヤーやねじ棒が、乗りかご内の乗員に対して露出しており意匠上美観を損なうと共に、安全性の上からも改良の余地があった。
【０００６】
本発明の目的は、意匠上の美観を損なうことなく安全かつ容易に操作することができるエレベータ乗りかご用の移動式操作盤を提供することにある。
【課題を解決するための手段】
【０００７】
本発明によるエレベータ乗りかご用の移動式操作盤は、エレベータ乗りかごの内側壁に設けられた開口内の上下に配置された一対のローラと、無端状を成しこの一対のローラに掛け渡され、その長さ方向に沿って回転移動可能なキャタピラ状搬送具と、前記キャタピラ状搬送具の長さ方向中間部に取り付けられ、各種操作器具を取り付けた表面がエレベータ乗りかごの内側壁に沿って移動可能な盤体とを備えたことを特徴とする。
【０００８】
本発明では、キャタピラ状搬送具の、盤体の取り付け部と反対側の位置に設けられ、キャタピラ状搬送具を介して盤体と釣り合う釣り合い重りを有している。
【発明の効果】
【０００９】
本発明によれば、キャタピラ状の搬送具を用いたことにより、意匠上の美観を損なうことなく安全かつ容易に操作盤を任意の高さ位置に操作することができる。
【発明を実施するための最良の形態】
【００１０】
以下、本発明によるエレベータ乗りかご用の移動式操作盤の一実施の形態ついて、図面を用いて詳細に説明する。
【００１１】
先ず、図３によりエレベータの乗りかご１内の全体構成を説明する。エレベータ乗りかご（以下、単に乗りかご）１は、側面板２による３つの側面と、開閉扉４及び袖壁３からなる１つの側面を有する。上記袖壁３には移動式の操作盤５が設けられている。この移動式操作盤５の詳細構造を図１及び図２を用いて以下説明する。
【００１２】
この移動式操作盤５は、乗りかご１の内側壁である袖壁３に形成された開口３ａ内に構成されており、表面に行き先階ボタンや、扉の開／閉ボタン等の各種操作器具を取り付けた平板状の盤体５ａを有する。この盤体５ａは、移動操作用の２つの取っ手９ａ，９ｂを盤面に設けており、キャタピラ状搬送具６の長さ方向中間部に取り付けられている。キャタピラ状搬送具６は、図６で示すように、複数枚のキャタピラプレート６ａを互いに回動可能に連結したもので、上記盤体５ａ及び後述する釣合重り８を含んで無端状に構成され、前記開口３ａ内の上下に配置された一対のローラ７に掛け渡されている。すなわち、キャタピラ状搬送具６は、この上下一対のローラ７により、その長さ方向に沿って回転移動可能に支持される。また、前記盤体５ａは、キャタピラ状搬送具６の長さ方向に沿う回転移動により、その表面が袖壁３に沿うように上下方向に移動可能となる。
【００１３】
前記釣合重り８は、キャタピラ状搬送具６の、前記盤体５ａを取り付けた部分の反対側の位置に設けられており、キャタピラ状搬送具６を介して盤体５ａと釣り合う。
【００１４】
上記構成において、乗りかご１内に乗り込んだ乗員は、移動式操作盤５を構成する盤体５ａの表面に設けられた各種操作器具を操作して目的とする行き先階を指定する。この際、乗員が子供などのように背が低く、盤体５ａの上部を操作し難い場合は、盤体５ａの表面下部に設けられた取っ手９ｂを掴んでこれを下方に引き下げる。この操作により、盤体５ａを取り付けたキャタピラ状の搬送具６は、上下一対のローラ７の回転により、図２における時計回りの方向に回転移動し、盤体５ａを下降させる。
【００１５】
このとき、盤体５ａはキャタピラ状の搬送具６を介して反対側に設けられた釣合重り８と釣合っている。このため、上述した盤体５ａの下降操作には大きな操作力を必要とせず容易に操作できる。また、盤体５ａの重さと釣合重り８との釣合により、盤体５ａへの操作力を解除すると、盤体５ａはその位置で静止する。
【００１６】
このように、盤体５ａは乗員が操作し易い高さまで引き下げられ、その高さで静止するので、乗員はこの盤体５ａの表面に設けられた操作器具を容易に操作することができる。
【００１７】
これに対し、背の高い乗員が、低位置に引き下げられた盤体５ａを、操作し易い高さまで引き上げる場合は、盤体５ａに設けられた取っ手９ａを掴んでこれを上方に引き上げる。  この操作により、盤体５ａを取り付けたキャタピラ状の搬送具６は、上下一対のローラ７の回転により、図２における反時計回りの方向に回転移動し、盤体５ａを上昇させる。この場合も、盤体５ａと釣合重り８との釣合により、盤体５ａへの操作力を解除すると、盤体５ａはその位置で静止する。
【００１８】
このように、盤体５ａは乗員が操作し易い高さまで引き上げられ、その高さで静止するので、乗員はこの盤体５ａの表面に設けられた操作器具を容易に操作することができる。
【００１９】
また、盤体５ａはキャタピラ状の搬送具６に取り付けられているので、上述のように上／下方向に移動しても、袖壁３に設けられた開口３ａは、図６で示すキャタピラ情搬送具により覆われるので、その内が露出しない。したがって、意匠上の美観が損なわれることはなく、安全上も問題はない。
【００２０】
次に、図４及び図５で示す実施の形態を説明する。この実施の形態は、乗りかご１の側面板２に設けられる副操作盤１０を移動式としたものである。すなわち、乗りかご１の側面板２に開口２ａを形成し、表面に行き先階ボタンや、扉の開／閉ボタン等の各種操作器具、及び移動操作用の取っ手９を取り付けた平板状の盤体１０ａをキャタピラ状搬送具６の長さ方向中間部に取り付ける。キャタピラ状搬送具６は、図６で示したように、複数枚のキャタピラプレート６ａを互いに回動可能に連結しており、上記盤体１０ａ及び釣合重り８を含んで無端状に構成され、前記開口２ａ内の上下に配置された一対のローラ７に掛け渡されている。したがって、盤体１０ａは、キャタピラ状搬送具６の長さ方向に沿う回転移動により、その表面が側面板２に沿って上下方向に移動可能となる。
【００２１】
上記構成において、乗りかご１内に乗り込んだ車椅子に乗った乗員は、乗りかご１の側面板２の比較的低い位置に設けられた移動式副操作盤１０を操作して目的とする行き先階を指定する。この際、車椅子の高さなどにより、副操作版１０が操作し難い高さにある場合は、その盤体１０ａに設けられた取っ手９を掴んでこれを任意の高さまで上下方向に移動させる。  この操作により、盤体１０ａを取り付けたキャタピラ状の搬送具６は、上下一対のローラ７の回転により、図５における時計回り、又は反時計回りの方向に回転移動し、盤体１０ａを上下方向に移動させる。
【００２２】
このとき、盤体１０ａはキャタピラ状の搬送具６を介して釣合重り８とつりあっているので、上述した盤体１０ａの昇降操作には大きな操作力を必要とせず容易に操作できる。また、盤体１０ａへの操作力を解除すると、盤体５ａはその位置で静止する。
【００２３】
このように、盤体１０ａは乗員が操作し易い高さまで移動され、その高さで静止するので、乗員はこの盤体１０ａの表面に設けられた操作器具を容易に操作することができる。
【００２４】
この盤体１０ａについても、キャタピラ状の搬送具６に取り付けられているので、上下方向に移動しても開口２ａは、図６で示したすキャタピラ情搬送具６で覆われるので、その内部が露出しない。したがって、意匠上の美観が損なわれることはなく、安全上も問題はない。
【図面の簡単な説明】
【００２５】
【図１】本発明によるエレベータ乗りかご用の移動式操作盤の一実施の形態を示す正面図である。
【図２】図１のＡ−Ａ断面図である。
【図３】エレベータ乗りかご内の全体構成の説明図である。
【図４】本発明の他の実施の形態を示す正面図である。
【図５】図４のＢ−Ｂ断面図である。
【図６】本発明に用いるキャタピラー状の搬送具を示しており（ａ）は正面図、（ｂ）は側面図である。
【符号の説明】
【００２６】
１    乗りかご
２，３    乗りかごの側壁部
４    扉
５    操作盤
５ａ    盤体
６    キャタピラ状搬送具
７    一対のローラ
８    釣合重り
【図１】
2008214077.tif 000003
【図２】
2008214077.tif 000004
【図３】
2008214077.tif 000005
【図４】
2008214077.tif 000006
【図５】
2008214077.tif 000007
【図６】
2008214077.tif 000008